(57)【要約】  鶏舎に設置された飲用水供給装置１により、採卵用の鶏に、空気のウルトラファインバブルを含有する飲用水を与える。飲用水供給装置１は、空気のウルトラファインバブルを含有する水を貯留するバブル水タンク２と、このバブル水タンク２の水が供給されて空気のウルトラファインバブルを添加してウルトラファインバブル水を製造するバブル水製造装置３と、バブル水タンク２から供給されるウルトラファインバブル水を貯留する貯水タンク４を備える。貯水タンク４のウルトラファインバブル水は、供給管５を通して分岐管６に導かれ、分岐管６に設けられた給水器７で採卵鶏に飲用水として供給される。分岐管６の残余の水は、戻り管８を通じて貯水タンク４に戻される。
2020138246.tif 000002
【特許請求の範囲】
【請求項１】
採卵用の鶏に、気体のウルトラファインバブルを含有する飲用水を与えることにより、鶏卵を上記鶏から得ることを特徴とする養鶏方法。
【請求項２】
請求項１に記載の養鶏方法において、
上記気体は空気であることを特徴とする養鶏方法。
【請求項３】
請求項１に記載の養鶏方法において、
上記気体は酸素であることを特徴とする養鶏方法。
【請求項４】
請求項１に記載の養鶏方法において、
上記鶏の産卵の開始時期が、気体のウルトラファインバブルを含有しない飲用水を給与した場合よりも早いことを特徴とする養鶏方法。
【請求項５】
請求項２に記載の養鶏方法において、
上記鶏にＣＰ１６％の飼料を給与することにより、Ｍサイズ以上の鶏卵の産出数を全産卵数の９５％以上とすることを特徴とする養鶏方法。
【請求項６】
請求項１に記載の養鶏方法において、
上記飲用水が、少なくともアロエを含む複数種類の植物を含む液を混合し抽出した植物由来エキス液と、キダチアロエのアルコール漬け液と、アロエベラのアルコール漬け液と、糖分と、ミネラル分とを含んで混合してなる液の発酵液が添加されていることを特徴とする養鶏方法。
【請求項７】
採卵用の鶏に給与される飲用水に含有される気体のウルトラファインバブルを製造するための養鶏用ウルトラファインバブル製造器であって、
円形断面を有するケーシングと、
上記ケーシングの一端に接続され、上記ケーシングと同軸上に延在し、気体と水の混合流体を供給する供給管と、
上記ケーシング内に少なくとも一部が収容され、上記供給管からケーシング内に供給された上記混合流体の旋回流を形成する複数の旋回流形成部を含み、これらの旋回流形成部で形成された旋回流を互いに衝突させて、上記混合流体の気体を微細化してウルトラファインバブル水を生成する微細化ブロックと、
上記ケーシングの他端側に配置され、上記微細化ブロックで生成されたウルトラファインバブル水を上記ケーシングの外に排出する排出管と
を備えることを特徴とする養鶏用ウルトラファインバブル製造器。
【請求項８】
請求項７に記載の養鶏用ウルトラファインバブル製造器において、
上記微細化ブロックが、上記ケーシングと同軸の旋回軸回りに混合流体の旋回流を形成する上記旋回流形成部としての第１旋回室と、この第１旋回室よりも上記供給管から遠い側に形成され、上記ケーシングと同軸の旋回軸回りに、上記第１旋回室で形成される旋回流と反対向きに旋回する混合流体の旋回流を形成する上記旋回流形成部としての第２旋回室と、上記第１旋回室で形成された混合流体の旋回流と上記第２旋回室で形成された混合流体の旋回流とを衝突させる衝突室と、この衝突室で混合流体の旋回流が衝突してなるウルトラファインバブル水を排出管側に導く排出通路とを含み、
上記排出管は、上記排出通路に連通するように上記微細化ブロックに連結され、上記微細化ブロックを上記ケーシング内に支持していることを特徴とする養鶏用ウルトラファインバブル製造器。
【請求項９】
請求項８に記載の養鶏用ウルトラファインバブル製造器において、
上記微細化ブロックが、
上記第１旋回室と、この第１旋回室の一端側へケーシング内の混合流体を第１旋回室の接線方向に導入する第１導入路と、上記第１旋回室の他端に形成されて旋回流を吐出する第１吐出孔とを有する第１ブロック部品と、
上記第１ブロック部品に結合され、上記第２旋回室と、この第２旋回室の一端側へケーシング内の混合流体を第２旋回室の接線方向に導入する第２導入路と、上記第２旋回室の他端に形成されて上記第１ブロック部品の第１吐出孔と対向して旋回流を吐出する第２吐出孔と、上記第１ブロック部品に結合されて第１ブロック部品との間に形成される衝突室に面する衝突室表面と、この衝突室表面に形成され、上記衝突室のウルトラファインバブル水を上記排出通路に流入させる流入口と、上記第１ブロック部品が連結された側と反対側の端面に形成され、上記排出通路を流れたウルトラファインバブル水を排出する排出口とを有する第２ブロック部品と
を含んで形成されていることを特徴とする養鶏用ウルトラファインバブル製造器。
【請求項１０】
請求項９に記載の養鶏用ウルトラファインバブル製造器において、
上記第１導入路と第２導入路は、上記微細化ブロックの軸直角面に対して傾斜して形成されていることを特徴とする養鶏用ウルトラファインバブル製造器。
【請求項１１】
請求項７に記載の養鶏用ウルトラファインバブル製造器において、
上記微細化ブロックが、上記ケーシングと同軸方向に形成されて上記混合流体が導かれる処理流路と、この処理流路の上流端に上記混合流体を中心軸の偏心方向に導入して旋回流を形成する上記旋回流形成部としての第１偏心供給路と、上記処理流路の上記第１偏心供給路よりも下流側に上記混合流体を中心軸の上記第１偏心供給路と反対向きの偏心方向に導入し、上記第１偏心供給路で形成された旋回流に反対向きの旋回流を生成して衝突させる上記旋回流形成部としての第２偏心供給路とを含み、
上記排出管は、上記微細化ブロックの処理流路の下流端に連結されている
ことを特徴とする養鶏用ウルトラファインバブル製造器。
【請求項１２】
請求項７に記載の養鶏用ウルトラファインバブル製造器を用いて形成された養鶏用飲用水製造装置であって、
原料水を圧送する第１ポンプと、
上記第１ポンプから圧送された原料水に気体を混合して混合流体を形成する混合器と、
上記混合器の下流側に設けられた第２ポンプと、
上記第２ポンプの下流側で混合流体を２つの経路に分岐する分岐部と、
上記分岐部に接続され、流量調整弁と、第１の上記養鶏用ウルトラファインバブル製造器とが介設され、この第１養鶏用ウルトラファインバブル製造器で製造された気体のウルトラファインバブルを含有する水を上記混合器と第２ポンプの間に戻す戻し経路と、
上記分岐部に接続され、第２の上記養鶏用ウルトラファインバブル製造器が介設され、この第２養鶏用ウルトラファインバブル製造器で製造された気体のウルトラファインバブルを含有する水を排出する排出経路と
を備えることを特徴とする養鶏用飲用水製造装置。
【請求項１３】
請求項７に記載の養鶏用ウルトラファインバブル製造器を用いて形成された養鶏用飲用水製造装置であって、
気体が原料水に混合されてなる混合流体を圧送する第１ポンプと、
上記第１ポンプの吐出側と吸入側との間に接続され、上記第１ポンプから吐出された混合流体に気体を混合して上記第１ポンプの吸入側に戻す混合器と、
上記第１ポンプの下流側に設けられた上記養鶏用ウルトラファインバブル製造器と、
上記養鶏用ウルトラファインバブル製造器の下流側に接続された第２ポンプと、
上記第２ポンプの下流側に接続された気液分離器と、
上記気液分離器で分離された液体を排出する排出経路と
を備えることを特徴とする養鶏用飲用水製造装置。
【請求項１４】
請求項１２又は１３に記載の養鶏用飲用水製造装置において、
上記第２ポンプが、カスケードポンプであることを特徴とする養鶏用飲用水製造装置。
【発明の詳細な説明】
【技術分野】
【０００１】
本発明は、採卵用の鶏の養育方法と、これに用いられる養鶏用ウルトラファインバブル製造器及び養鶏用飲用水製造装置に関する。
【背景技術】
【０００２】
従来より、採卵用鶏を養育して鶏卵を採取する鶏舎では、鶏を収容するケージに沿って配置した給餌樋を介して給餌すると共に、ケージに沿って給水管を配置し、この給水管に設けたウォーターピックを介して給水をしている。【０００３】
一般的に、ボリスブラウン品種の鶏を養育する場合、１２０日齢の鶏を鶏舎に導入し、導入した鶏に給餌と給水を開始して養育を開始する。鶏舎に導入された鶏は、徐々に産卵を開始し、１５０日齢前後で産卵率が５０％に達した後、２００日齢前後で最大の９０％程度に達する。この後、産卵率が徐々に低下し、産卵率が７０％以下となる６００日齢前後で鶏舎から排除し、新たな鶏に入れ替えている。【０００４】
鶏卵の生産性を高めるには、１日齢から２８日齢までの幼雛期の鶏の体重を増加させるのが有効であることが知られており、幼雛期の鶏の体重を増加させるため、種々の飼料が提案されている（例えば、特許文献１参照）。
【先行技術文献】
【特許文献】
【０００５】
【特許文献１】特開２０１４−０５７５７６号公報
【発明の概要】
【発明が解決しようとする課題】
【０００６】
しかしながら、上記従来の養鶏方法は、幼雛期の鶏の体重を増加させるために、通常とは異なる特殊な飼料を給与するので、飼料コストが増加する問題がある。【０００７】
そこで、本発明の課題は、飼料コストを増加させることなく、鶏卵の生産性を向上できる養鶏方法と、これに用いられる養鶏用ウルトラファインバブル製造器及び養鶏用飲用水製造装置を提供することにある。
【課題を解決するための手段】
【０００８】
上記課題を解決するため、本発明の養鶏方法は、採卵用の鶏に、気体のウルトラファインバブルを含有する飲用水を与えることにより、鶏卵を上記鶏から得ることを特徴としている。【０００９】
上記構成によれば、採卵用鶏に、気体のウルトラファインバブルを含有する飲用水を与えることにより、特殊な飼料を用いることなく、従来の飼料を用いて、鶏の産卵の開始時期を従来よりも早めることができる。これにより、従来よりも早く産卵率を高めることができるので、鶏卵の生産性を向上することができる。ここで、気体のウルトラファインバブルを含有する飲用水の給与を開始する時期は特に限定されず、例えば幼雛期から給与を開始してもよく、あるいは、採卵用の鶏舎に導入した後に給与を開始してもよい。ウルトラファインバブルとは、１μｍ以下の直径を有する微細な気泡を意味する。ウルトラファインバブルの径は、例えばレーザー回析・散乱法や、粒子軌跡解析法や、動的光散乱法等で測定することができる。【００１０】
一実施形態の養鶏方法は、上記気体は空気である。【００１１】
上記実施形態によれば、採卵用の鶏に、空気のウルトラファインバブルを含有する飲用水を与えることにより、従来の飼料を用いて、鶏の産卵の開始時期を従来よりも早めることができる。【００１２】
一実施形態の養鶏方法は、上記気体は酸素である。【００１３】
上記実施形態によれば、採卵用の鶏に、酸素のウルトラファインバブルを含有する飲用水を与えることにより、従来の飼料を用いて、鶏の産卵の開始時期を従来よりも早めることができる。【００１４】
一実施形態の養鶏方法は、上記鶏の産卵の開始時期が、気体のウルトラファインバブルを含有しない飲用水を給与した場合よりも早いものである。【００１５】
上記実施形態によれば、採卵用の鶏に、気体のウルトラファインバブルを含有する飲用水を与えることにより、鶏の産卵の開始時期を、気体のウルトラファインバブルを含有しない飲用水を給与した場合よりも早めることができる。したがって、従来よりも早く産卵数を増加でき、鶏卵の生産性を高めることができる。【００１６】
一実施形態の養鶏方法は、上記鶏にＣＰ１６％の飼料を給与することにより、Ｍサイズ以上の鶏卵の産出数を全産卵数の９５％以上とするものである。【００１７】
上記実施形態によれば、採卵用鶏に、空気のウルトラファインバブルを含有する飲用水を与えることにより、ＣＰ（crude protein：粗蛋白質）の割合が１６％の飼料を与えても、Ｍサイズ以上の産卵数を全産卵数の９５％以上とすることができる。したがって、高価なＣＰ１８％の飼料や、特殊な飼料を用いることなく、鶏卵の生産性を向上することができる。特に、ＣＰ１８％の飼料をＣＰ１６％の飼料に変更しても、鶏卵の生産性を維持又は向上できるので、飼料費の削減を行うことができる。ここで、Ｍサイズとは、日本国農林水産省により定められた鶏卵規格取引要綱別紙の鶏卵の取引規格において、鶏卵の重量が５８ｇ以上６４ｇ未満であることをいう。【００１８】
一実施形態の養鶏方法は、上記飲用水が、少なくともアロエを含む複数種類の植物を含む液を混合し抽出した植物由来エキス液と、キダチアロエのアルコール漬け液と、アロエベラのアルコール漬け液と、糖分と、ミネラル分とを含んで混合してなる液の発酵液が添加されている。【００１９】
上記実施形態によれば、少なくともアロエを含む複数種類の植物を含む液を混合し抽出した植物由来エキス液と、キダチアロエのアルコール漬け液と、アロエベラのアルコール漬け液と、糖分と、ミネラル分とを含んで混合してなる液の発酵液が添加された飲用水を給与することにより、鶏の産卵数を更に増加させることができる。【００２０】
本発明の他の側面によれば、採卵用の鶏に給与される飲用水に含有される気体のウルトラファインバブルを製造するための養鶏用ウルトラファインバブル製造器であって、
円形断面を有するケーシングと、
上記ケーシングの一端に接続され、上記ケーシングと同軸上に延在し、気体と水の混合流体を供給する供給管と、
上記ケーシング内に少なくとも一部が収容され、上記供給管からケーシング内に供給された上記混合流体の旋回流を形成する複数の旋回流形成部を含み、これらの旋回流形成部で形成された旋回流を互いに衝突させて、上記混合流体の気体を微細化してウルトラファインバブル水を生成する微細化ブロックと、
上記ケーシングの他端側に配置され、上記微細化ブロックで生成されたウルトラファインバブル水を上記ケーシングの外に排出する排出管と
を備えることを特徴としている。【００２１】
上記構成によれば、ケーシングと、供給管と、排出管と、上記ケーシング内に収容された微細化ブロックとで構成された養鶏用ウルトラファインバブル製造器は、容易に小型化が可能である。また、この養鶏用ウルトラファインバブル製造器は、混合流体の旋回流を形成する複数の旋回流形成部を含み、これらの旋回流形成部で形成された旋回流を互いに衝突させて、混合流体の気体を微細化してウルトラファインバブル水を生成する微細化ブロックを用いて構成されるので、気体のウルトラファインバブルを効率的に生成することができる。【００２２】
一実施形態の養鶏用ウルトラファインバブル製造器は、上記微細化ブロックが、上記ケーシングと同軸の旋回軸回りに混合流体の旋回流を形成する上記旋回流形成部としての第１旋回室と、この第１旋回室よりも上記供給管から遠い側に形成され、上記ケーシングと同軸の旋回軸回りに、上記第１旋回室で形成される旋回流と反対向きに旋回する混合流体の旋回流を形成する上記旋回流形成部としての第２旋回室と、上記第１旋回室で形成された混合流体の旋回流と上記第２旋回室で形成された混合流体の旋回流とを衝突させる衝突室と、この衝突室で混合流体の旋回流が衝突してなるウルトラファインバブル水を排出管側に導く排出通路とを含み、
上記排出管は、上記排出通路に連通するように上記微細化ブロックに連結され、上記微細化ブロックを上記ケーシング内に支持している。【００２３】
上記実施形態によれば、ケーシング内の微細化ブロックが、上記ケーシングと同軸の旋回軸回りに混合流体の旋回流を形成する第１旋回室と、この第１旋回室よりも上記供給管から遠い側に形成され、上記ケーシングと同軸の旋回軸回りに、上記第１旋回室で形成される旋回流と反対向きに旋回する混合流体の旋回流を形成する第２旋回室と、上記第１旋回室で形成された混合流体の旋回流と上記第２旋回室で形成された混合流体の旋回流とを衝突させる衝突室と、この衝突室で混合流体の旋回流が衝突してなるウルトラファインバブル水を排出管側に導く排出通路とを含んで形成されるので、養鶏用ウルトラファインバブル製造器を小型にできる。また、上記排出管は、上記微細化ブロックの排出通路に連通するように上記微細化ブロックに連結され、この微細化ブロックを上記ケーシング内に支持するので、簡易な構造でケーシング内に微細化ブロックを収容できる。【００２４】
一実施形態の養鶏用ウルトラファインバブル製造器は、上記微細化ブロックが、
上記第１旋回室と、この第１旋回室の一端側へケーシング内の混合流体を第１旋回室の接線方向に導入する第１導入路と、上記第１旋回室の他端に形成されて旋回流を吐出する第１吐出孔とを有する第１ブロック部品と、
上記第１ブロック部品に結合され、上記第２旋回室と、この第２旋回室の一端側へケーシング内の混合流体を第２旋回室の接線方向に導入する第２導入路と、上記第２旋回室の他端に形成されて上記第１ブロック部品の第１吐出孔と対向して旋回流を吐出する第２吐出孔と、上記第１ブロック部品に結合されて第１ブロック部品との間に形成される衝突室に面する衝突室表面と、この衝突室表面に形成され、上記衝突室のウルトラファインバブル水を上記排出通路に流入させる流入口と、上記第１ブロック部品が連結された側と反対側の端面に形成され、上記排出通路を流れたウルトラファインバブル水を排出する排出口とを有する第２ブロック部品と
を含んで形成されている。【００２５】
上記実施形態によれば、微細化ブロックが、第１ブロック部品と第２ブロック部品が結合されて形成される。上記第１ブロック部品は、第１旋回室と、この第１旋回室の一端側へケーシング内の混合流体を第１旋回室の接線方向に導入する第１導入路と、上記第１旋回室の他端に形成されて旋回流を吐出する第１吐出孔とを有する。また、上記第２ブロック部品は、第２旋回室と、この第２旋回室の一端側へケーシング内の混合流体を第２旋回室の接線方向に導入する第２導入路と、上記第２旋回室の他端に形成されて上記第１ブロック部品の第１吐出孔と対向して旋回流を吐出する第２吐出孔とを有する。更に、上記第２ブロック部品が、上記第１ブロック部品に結合されて第１ブロック部品との間に形成される衝突室に面する衝突室表面と、この衝突室表面に形成された流入口と上記第１ブロック部品が連結された側と反対側の端面に形成された排出口との間に延在する排出通路とを有する。このように形成された第１ブロック部品と第２ブロック部品により、小型の微細化ブロックを構成することができる。【００２６】
一実施形態の養鶏用ウルトラファインバブル製造器は、上記第１導入路と第２導入路は、上記微細化ブロックの軸直角面に対して傾斜して形成されている。【００２７】
上記実施形態によれば、微細化ブロックの軸直角面に対して傾斜した第１導入路を通して混合流体を第１旋回室に導入することにより、第１旋回室内に、第１吐出孔に向かって旋回する旋回流を効果的に生成することができる。また、微細化ブロックの軸直角面に対して傾斜した第２導入路を通して混合流体を第２旋回室に導入することにより、第２旋回室内に、第２吐出孔に向かって旋回する旋回流を効果的に生成することができる。これにより、第１旋回室の第１吐出口と第２旋回室の第２吐出口との間に位置する衝突室で、第１旋回室からの旋回流と、第２旋回室からの旋回流を、強く衝突させることができ、その結果、各旋回流に含まれる気体のバブルを効果的に微細化して、気体のウルトラファインバブルを効率的に生成することができる。【００２８】
一実施形態の養鶏用ウルトラファインバブル製造器は、上記微細化ブロックが、上記ケーシングと同軸方向に形成されて上記混合流体が導かれる処理流路と、この処理流路の上流端に上記混合流体を中心軸の偏心方向に導入して旋回流を形成する上記旋回流形成部としての第１偏心供給路と、上記処理流路の上記第１偏心供給路よりも下流側に上記混合流体を中心軸の上記第１偏心供給路と反対向きの偏心方向に導入し、上記第１偏心供給路で形成された旋回流に反対向きの旋回流を生成して衝突させる上記旋回流形成部としての第２偏心供給路とを含み、
上記排出管は、上記微細化ブロックの処理流路の下流端に連結されている。【００２９】
上記実施形態によれば、微細化ブロックが、ケーシングと同軸方向に形成されて上記混合流体が導かれる処理流路を含む。この処理流路の上流端に、混合流体を中心軸の偏心方向に導入して旋回流を形成する旋回流形成部としての第１偏心供給路が連通している。上記処理流路の上記第１偏心供給路よりも下流側に、混合流体を中心軸の上記第１偏心供給路と反対向きの偏心方向に導入する旋回流形成部としての第２偏心供給路が連通している。この第２偏心供給路により、上記第１偏心供給路で形成された旋回流に反対向きの旋回流を生成して衝突させることにより、混合流体に含まれる気体のバブルを効果的に微細化して、気体のウルトラファインバブルが生成される。このように、微細化ブロックが、処理流路と、第１偏心供給路と、第２偏心供給路を含んで構成されるので、養鶏用ウルトラファインバブル製造器を小型にできる。【００３０】
本発明の他の側面によれば、上記養鶏用ウルトラファインバブル製造器を用いて形成された養鶏用飲用水製造装置であって、
原料水を圧送する第１ポンプと、
上記第１ポンプから圧送された原料水に気体を混合して混合流体を形成する混合器と、
上記混合器の下流側に設けられた第２ポンプと、
上記第２ポンプの下流側で混合流体を２つの経路に分岐する分岐部と、
上記分岐部に接続され、流量調整弁と、第１の上記養鶏用ウルトラファインバブル製造器とが介設され、この第１養鶏用ウルトラファインバブル製造器で製造された気体のウルトラファインバブルを含有する水を上記混合器と第２ポンプの間に戻す戻し経路と、
上記分岐部に接続され、第２の上記養鶏用ウルトラファインバブル製造器が介設され、この第２養鶏用ウルトラファインバブル製造器で製造された気体のウルトラファインバブルを含有する水を排出する排出経路と
を備えることを特徴としている。【００３１】
上記構成によれば、原料水が第１ポンプで圧送され、混合器によって原料水に気体が混合される。この混合器の下流側の第２ポンプにより圧送された混合流体が、分岐部で２つの経路に分岐される。分岐部に接続された戻し経路では、流量調整弁が開いているとき、第２ポンプから圧送された混合流体の一部が第１養鶏用ウルトラファインバブル製造器に導かれ、混合流体中の気体が微細化されてウルトラファインバブルが形成される。この気体のウルトラファインバブルを含有する水は、混合器と第２ポンプの間に戻され、混合器からの混合流体と合流して第２ポンプに吸引される。一方、分岐部に接続された排出経路では、第２ポンプから圧送された混合流体の一部が第２養鶏用ウルトラファインバブル製造器に導かれ、混合流体中の気体が微細化されてウルトラファインバブルが形成される。この気体のウルトラファインバブルを含有する水は、排出経路の下流側から排出され、採卵用鶏の飲用水として用いられる。また、戻し経路の流量調整弁が閉じているとき、第２ポンプから圧送された混合流体の全部が第２養鶏用ウルトラファインバブル製造器に導かれ、気体のウルトラファインバブルが形成され、この気体のウルトラファインバブルを含有する水が排出経路の下流側から排出される。流量調整弁の開度を調節することにより、第１養鶏用ウルトラファインバブル製造器で形成されて第２ポンプに戻される気体のウルトラファインバブルを含む水の量を調節できる。したがって、排出経路から排出される水における気体のウルトラファインバブルの粒径や濃度を、効果的に調節することができる。【００３２】
一実施形態の養鶏用飲用水製造装置は、上記ウルトラファインバブル製造器を用いて形成されたウルトラファインバブル水製造装置であって、
気体が原料水に混合されてなる混合流体を圧送する第１ポンプと、
上記第１ポンプの吐出側と吸入側との間に接続され、上記第１ポンプから吐出された混合流体に気体を混合して上記第１ポンプの吸入側に戻す混合器と、
上記第１ポンプの下流側に設けられた上記養鶏用ウルトラファインバブル製造器と、
上記養鶏用ウルトラファインバブル製造器の下流側に接続された第２ポンプと、
上記第２ポンプの下流側に接続された気液分離器と、
上記気液分離器で分離された液体を排出する排出経路と
を備える。【００３３】
上記実施形態によれば、気体が原料水に混合されてなる混合流体が第１ポンプで圧送される。この第１ポンプから吐出された混合流体の一部は、上記第１ポンプの吐出側と吸入側との間に接続された混合器に導かれ、この混合器により、混合流体に気体が混合される。混合器で気体が混合された混合流体は、上記第１ポンプの吸入側に戻される。上記第１ポンプから吐出された混合流体の他の部分は、下流側に設けられた養鶏用ウルトラファインバブル製造器に導かれ、混合流体中の気体が微細化されてウルトラファインバブルが形成される。このウルトラファインバブルを含有する水は、養鶏用ウルトラファインバブル製造器の下流側に接続された第２ポンプに吸引され、この第２ポンプの下流側に接続された気液分離器に向かって吐出される。気液分離器に導かれたウルトラファインバブルを含有する水は、この水と共に導かれた気体が分離さる。気液分離器で気体が分離されて残った液体であるウルトラファインバブルを含有する水が、排出経路を通って排出される。第１ポンプと第２ポンプの間に養鶏用ウルトラファインバブル製造器を介設し、主に第２ポンプの動作を調節することにより、ウルトラファインバブルを含有する水の生成量を安定させることができる。【００３４】
一実施形態の養鶏用飲用水製造装置は、上記第２ポンプが、カスケードポンプである。【００３５】
上記実施形態によれば、第２ポンプとしてカスケードポンプを用いることにより、気体のウルトラファインバブルを含有する水を、安定して生成することができる。
【図面の簡単な説明】
【００３６】
【図１】本発明の実施形態の養鶏方法が適用される鶏舎を示す模式図である。
【図２】本発明の実施形態の養鶏用飲用水製造装置を示す模式図である。
【図３】本発明の実施形態の養鶏用ウルトラファインバブル製造器の縦断面図である。
【図４】図３の矢視Ｂによる養鶏用ウルトラファインバブル製造器の横断面図である。
【図５】図３の矢視Ｃによる養鶏用ウルトラファインバブル製造器の横断面図である。
【図６】養鶏用ウルトラファインバブル製造器の第１ブロックを示す断面図である。
【図７】養鶏用ウルトラファインバブル製造器の第２ブロックを示す断面図である。
【図８】他の養鶏用ウルトラファインバブル製造器を示す縦断面図である。
【図９】図８の矢視Ｄによる養鶏用ウルトラファインバブル製造器の横断面図である。
【図１０】図８の矢視Ｅによる養鶏用ウルトラファインバブル製造器の横断面図である。
【図１１】他の養鶏用飲用水製造装置を示す模式図である。
【図１２】試験１の結果を示すグラフである。
【発明を実施するための形態】
【００３７】
以下、本発明の実施形態を、添付の図面を参照しながら詳細に説明する。
【００３８】
本発明の実施形態の養鶏方法は、採卵用鶏に、気体としての空気のウルトラファインバブルを含有する飲用水を与えることにより、鶏卵を上記鶏から得るものである。
【００３９】
ウルトラファインバブルは、直径が１μｍ以下の気泡であり、可視光の波長よりも小さいものは、液体中に形成されても視認できない。また、ウルトラファインバブルは、直径が１μｍ以上の気泡であるマイクロバブルと比較して、浮上速度が小さく、液体中に長時間滞在することができる。また、ウルトラファインバブルは、マイクロバブルと比較して、表面積が大きく、自己加圧効果を有し、マイナス電荷の帯電作用を有する。このような特徴に基づき、空気のウルトラファインバブルを添加した水を飲用水として採卵用鶏に給与することにより、鶏の卵の生産効率を高めることが可能となる。
【００４０】
採卵用鶏は、例えばボリスブラウン種の場合、一般的に１５０日齢前後で産卵を開始する。ここで、空気のウルトラファインバブルを添加した飲用水を、未産卵の鶏に給与して養育することにより、産卵の開始を１０日乃至２０日程度早めることができる。
【００４１】
また、空気のウルトラファインバブルを添加した飲用水を採卵用鶏に給与することにより、空気のウルトラファインバブルを添加しない飲用水を給与した場合と比較して、７６ｇ以上の大玉の鶏卵が採取される割合を、１．５倍から２倍程度に増大することができる。
【００４２】
また、空気のウルトラファインバブルを添加した飲用水を採卵用鶏に給与することにより、ＣＰ（crude protein：粗蛋白質）の割合が１６％の飼料を与えても、Ｍサイズ（５８ｇ以上６４ｇ未満）以上の産卵数を全産卵数の９５％以上とすることができる。したがって、飼料費を効果的に削減できる。
【００４３】
本実施形態で飲用水として用いる空気のウルトラファインバブル含有水は、空気のウルトラファインバブルの直径が１ｎｍ以上１０００ｎｍ以下であれば、特に限定されない。空気のウルトラファインバブルの直径が１０００ｎｍを超えると、卵の生産効率の向上が不十分となる可能性がある。好ましくは、飲用水に含まれる空気のウルトラファインバブルの直径は１０ｎｍ以上５００ｎｍ以下であり、更に好ましくは２０ｎｍ以上３００ｎｍ以下である。飲用水に含まれる空気のウルトラファインバブルの直径が２０ｎｍ以上３００ｎｍ以下であることにより、鶏の卵の生産効率を効果的に高めることができる。また、産出される卵の重さを効果的に増大させることができる。本実施形態では、ウルトラファインバブルの径は、レーザー回析・散乱法により測定した。
【００４４】
本実施形態の飲用水として用いる空気のウルトラファインバブル含有水は、空気のウルトラファインバブルの濃度が、１×１０７個／ｍＬ以上であり、上限は特に限定されないが、作製の容易性から、１０１２個／ｍＬ以下である。空気のウルトラファインバブルの濃度が１×１０７個／ｍＬを下回ると、卵の生産効率の向上が不十分となる可能性がある。好ましくは、空気のウルトラファインバブルの濃度は、１×１０７個／ｍＬ以上３×１０８個／ｍＬ以下であり、特に好ましくは１×１０８個／ｍＬ以上２×１０８個／ｍＬ以下である。飲用水の空気のウルトラファインバブルの濃度を１×１０８個／ｍＬ以上２×１０８個／ｍＬ以下にすることにより、鶏の卵の生産効率を効果的に高めることができる。また、産出される卵の重さを効果的に増大させることができる。
【００４５】
空気のウルトラファインバブルを含有する飲用水は、採卵用鶏に、何時の段階で給与してもよい。好ましくは、空気のウルトラファインバブルを含有する飲用水は、採卵のための鶏舎に鶏が導入された時点から給与を開始することができる。例えば、鶏舎に導入された１２０日齢の大雛に、空気のウルトラファインバブルを含有する飲料水の給与を開始することができる。鶏舎に導入された鶏に、飼料と飲用水を提供して養育を行うことにより、時間の経過と共に鶏の産卵率が増大し、採卵量が増大する。この鶏舎で給与する飲用水に、空気のウルトラファインバブルを含有する飲用水を採用することにより、鶏が産卵を開始する時期を効果的に早めることができる。
【００４６】
空気のウルトラファインバブルを含有する飲用水は、鶏がふ化してから採卵用の鶏舎に導入されるまでの間の何時の時点から給与してもよい。幼雛、中雛又は大雛の時期に、空気のウルトラファインバブルを含有する飲用水を給与することにより、雛の成長を促進することができる。
【００４７】
また、採卵用の鶏舎に導入された鶏に、何時の時点から空気のウルトラファインバブルを含有する飲用水を給与してもよい。また、採卵用の鶏舎に導入された鶏に、一定の期間に空気のウルトラファインバブルを含有する飲用水を給与してもよい。
【００４８】
採卵用鶏に給与する飲用水は、空気のウルトラファインバブルに加えて、植物抽出物混合発酵液を添加してもよい。植物抽出物混合発酵液は、少なくともアロエを含む複数種類の植物を含む液を混合し抽出した植物由来エキス液と、キダチアロエのアルコール漬け液と、アロエベラのアルコール漬け液と、米ぬか液と、糖分と、ミネラル分とを含んで混合してなる液にミネラル分と灰分を加えた液の発酵液である。
【００４９】
上記植物抽出物混合発酵液の植物由来エキス液は、（ａ）少なくともアロエと糖分とミネラル分とを含む第１液と、（ｂ）少なくともアロエと糖分と塩分とを含む第２液と、（ｃ）アロエを含む複数種類の植物のアルコール抽出液と、アロエを含む複数種類の植物の糖抽出液と、複数種類の植物を混合して煮沸抽出した液と複数種類の植物エキスのアルコール抽出液とを含む第３液とを含むことが好ましい。
【００５０】
上記植物抽出物混合発酵液の植物由来エキス液を形成する第１液としては、第１の黒糖アロエ液を採用できる。第１の黒糖アロエ液は、次のようにして作成することができる。まず、キダチアロエ１５ｋｇに対し、黒糖１５ｋｇ、はちみつ７ｋｇ、梅エキス５００ｃｃ、濃縮ミネラル液１００ｃｃの割合で混合し、１週間熟成し、液を搾取して、搾りとった液を第１液とする。上記濃縮ミネラル液は、海水を５０倍に濃縮して作成した。アロエは１００万分の１ｍｍの大きさまで微粒子化処理して使用する。以下、アロエ及びアロエベラをはじめとする植物は同様に処理する。これによりイオン化されやすくなる。
【００５１】
上記植物抽出物混合発酵液の植物由来エキス液を形成する第２液としては、次のようにして作成される第２の黒糖アロエ液を採用できる。アロエエキス３０リットルに対し、ブラウンシュガー１５ｋｇ、黒糖１５ｋｇ、自然塩２００ｇの割合で混合し、混合した液を煮溶かして得た液を第２液とする。
【００５２】
上記植物抽出物混合発酵液の植物由来エキス液を形成する第３液としては、次のようにして作成される抽出液Ａ、抽出液Ｂ、抽出液Ｃ及び抽出液Ｄを混合してなる野菜エキス液を採用できる。まず、長茄子、キュウリ、マッシュルーム、かぼちゃ、絹さや、いんげん、まいたけ、しめじ、小松菜、オレンジ、竹の子、ショウガ、フキ葉、梨、ふきのとう、にがうり、ほうれん草、紅玉、アロエベラ、青リンゴ、いちじく、セロリ、洋梨、はこべ、米ぬか、はぶ茶、ハスの葉、ウコン、黒豆、シイタケ、黄粉、まつたけ、ゴマ、クマザサ、しいの実、伊予柑、ザボン、プルーン、枝豆、エノキ茸、ピーマン、かぶ、柿葉、マンゴー、いちご、バジリコ、パイナップル、トマト、シシトウ、里芋、春菊、エシャレット葡萄、柿、月桂樹、洋梨、メロン、赤じそ、ほうじ茶、はと麦、人参、キウイ、クワイ、山うど、柚子、ライム、キンカン、ハス、レモン、とうがん、ジャスミン、ニンニク、松葉、玉葱、ターサ、芋がら、ブロッコリー、クレソン、みかん、グレープフルーツ、パパイヤ、パセリ、京みぶな、おおばこ、梅エキス、ワラビ、どくだみ、山芋、カリフラワー、アスパラ、銀杏葉、セリ、ザクロ、ツルムラサキ、菜の花、プ―アール、山クラゲ、そばの実、ペパーミント、花梨、ムラベツ、キャベツ、グリーンリーフ、根三ツ葉、サラダ菜、レタス、京菜、小豆、大根、タンポポ、ルイボス、からしな、空豆、なめこ、たらの芽、紅だて、ラディッシュ、棄玉葱、ニラ、ポンカン、水仙、わかめ、スペアミント、落花生、ピスタチオ、じゃが芋、枇杷薫、杏、ハイビスカス、くるみ、レモンバーベナ、レモンパーム、レモングラス、カモマイルジャーマン、レモンディライト、赤とさか、青とさか、伊勢海老キチンキトサンの１３７種の各材料を、それぞれが少なくとも重量比で０．２％以上の割合になるような任意の割合で、皮や殻など全て丸ごと混合し、混合材Ａを作成する。この混合材Ａ１ｋｇに対し、１.５リットルのアルコールの割合で抽出を行い、抽出液Ａ（アルコール抽出液）を得る。
【００５３】
次に、にんにく、青梅、キダチアロエの各材料を、それぞれが少なくとも重量比で１０％以上の割合になるような任意の割合で、皮など全て丸ごと混合し、混合材Ｂを得る。混合材Ｂ１ｋｇに対して１ｋｇの黒糖の割合で抽出を行い、抽出液Ｂ（糖抽出液）を得る。抽出液Ｂの抽出法は、糖抽出すなわち糖による浸透圧を利用した抽出である。
【００５４】
さらに、ウコン、大根、人参、メシマコブ、レイシ、アガリスク、牛蒡、米ぬか、スギナの各材料を、それぞれが少なくとも重量比で５％以上の割合になるような任意の割合で、皮など全て丸ごと混合し、混合材Ｃを得る。混合材Ｃを煮沸して抽出を行い、抽出液Ｃ（煮沸抽出液）を得る。
【００５５】
さらに、ウコンエキス、クマザサ液、クレソン液、スギナ液、ゴボウエキス、にんにくエキス、ワラビエキス、赤シソエキス、マイタケエキス、メシマコブエキス、レイシエキス、アガリスクエキス、大根エキス、人参エキス、羅漢花エキス、オオバエキス、シシトウエキス、昆布エキスの各材料を、大根エキスのみ２倍量で他は全て同じ重量ずつの割合で、皮など全て丸ごと混合し、混合材Ｄを得る。混合材Ｄ１ｋｇに対し１.５リットルのアルコールの割合で抽出を行い、抽出液Ｄ（アルコール抽出液）を得る。
【００５６】
上記抽出液Ａ、抽出液Ｂ、抽出液Ｃ及び抽出液Ｄを、それぞれが少なくとも重量比で１０％以上の割合になるような任意の割合で、混合し、第３液を得る。
【００５７】
第４液としてのキダチアロエのアルコール漬け液は、次のようにして作成することができる。まず、みじん切りにしたキダチアロエ１３ｋｇを２０リットルのポリタンクにいれて、３５度の焼酎をポリタンクが満杯になるまで注ぐ。１週間放置した後、これを搾取して第４液を得る。第４液はキダチアロエのアルコール漬け液である。第４液の原料は、アロエの中でも特に、薬効の高いキダチアロエが適する。
【００５８】
第５液としてのアロエベラのアルコール漬け液は、次のようにして作成することができる。まず、みじん切りにしたアロエベラ１３ｋｇを２０リットルのポリタンクにいれて、３５度の焼酎をポリタンクが満杯になるまで注ぐ。１週間放置した後、これを搾取して第５液が得られる。第５液はアロエベラのアルコール漬け液である。第５液は、食用可能であるアロエベラを用いることが好ましい。
【００５９】
上記第１液、第２液、第３液、第４液及び第５液、はちみつ、上記濃縮ミネラル液、プロポリス液、キチンキトサンエキスを、それぞれが少なくとも重量比で５％以上の割合になるような任意の割合で、混合し、第６液を得る。
【００６０】
上記第１液〜第５液を作成する過程で排出された搾りカス１ｋｇに対し黒糖５００ｇ、はちみつ５００ｇの割合で混合し、１週間熟成して、液を搾取する。搾取した液を第７液とする。
【００６１】
上記第６液に、ミネラル分としての上記濃縮ミネラル液を、第６液が少なくとも６０％以上、その他がそれぞれ重量比で１％以上２０％以内の割合になるような任意の割合で混合する。この混合液に、第６液のもとである第１液、第４液及び第５液と、第７液とを、それぞれ全体量の１０％以下となる範囲で加えて全体量を調整し、２週間程度常温にて保管して発酵させ、酸味がでてきたら、煮沸殺菌を行い、植物抽出物混合発酵液が得られる。上記草木灰は、草木を焼いてつくった灰である。また、上記糖分として黒糖を用いたが、ブドウ糖等、他の糖でもよい。
【００６２】
上記植物抽出物混合発酵液を、空気のウルトラファインバブルを含有する水に添加して、採卵鶏の飲用水を作成する。植物抽出物混合発酵液の添加量は、空気のウルトラファインバブルを含有する水の０．０１％以上０．５％以下である。この飲用水を、採卵用鶏に給与することにより、採卵量を更に増やすことができる。
【００６３】
本実施形態の養鶏方法を適用する採卵用の鶏は、採卵を目的として飼育される鶏であれば特に限定されず、採卵用実用種のほか、卵肉兼用種であってもよいが、採卵用実用鶏が好ましい。また、採卵用実用種の鶏の種類は、特に限定されず、白玉鶏又は赤玉鶏のいずれでもよく、例えば、ジュリア、ジュリアライト、マリア等の白色レグホーン鶏や、ボリスブラウン等の褐色鶏が好ましい。
【００６４】
また、採卵用の鶏の飼育形態としては、特に限定されず、平飼い、ケージ飼育、放し飼いのいずれもよい。
【００６５】
図１は、本発明の実施形態の養鶏方法が行われる鶏舎に設けられた飲用水供給装置を示す模式図である。この鶏舎は、大雛期の鶏を導入し、導入した鶏に飼料と飲用水を給与して養育し、産卵させて、採卵を行うものである。この鶏舎は、採卵用鶏９を収容するケージと、ケージの中の鶏に餌を供給する図示しない給餌装置と、ケージの中の採卵用鶏９のために飲用水を供給する飲用水供給装置１を備える。
【００６６】
飲用水供給装置１は、水道水に空気のウルトラファインバブルを含有させて、採卵用鶏の飲用水を製造すると共に、この飲用水を採卵用鶏９に供給するものである。なお、水道水のほか、地下水を用いてもよい。この飲用水供給装置１は、図１に示すように、空気のウルトラファインバブルを含有する水を貯留するバブル水タンク２と、このバブル水タンク２の水が供給されて空気のウルトラファインバブルを添加してウルトラファインバブル水を製造する養鶏用飲用水製造装置としてのバブル水製造装置３と、バブル水タンク２から供給されるウルトラファインバブル水を貯留する貯水タンク４を備える。また、飲用水供給装置１は、貯水タンク４から採卵用鶏９の飲用水を導く供給管５と、供給管５に連なって分岐する複数の分岐管６と、分岐管６の夫々に設けられて飲用水を採卵用鶏９に与えるための給水器７を備える。上記複数の分岐管６の下流側は、互いに合流して戻り管８に接続され、この戻り管８の下流側が貯水タンク４に接続されている。
【００６７】
バブル水タンク２は、ボールタップ１１により水道水が供給され、水位が一定に保たれる。ボールタップ１１は、バブル水タンク２の水位に応じて昇降する浮体と、この浮体に連結された流量調整弁を有し、水位が低下すると流量調整弁が開いてバブル水タンク２内の水位を一定に保持する。なお、ボールタップ１１以外に、種々の構成の定水位弁を用いることができ、例えば、バブル水タンク２の水位を測定する水位センサと、この水位センサの測定値に基づいて弁開度が制御される流量調整弁を有するもの等を用いることができる。
【００６８】
バブル水製造装置３は、バブル水タンク２から、原料水としての水道水、ファインバブル水、又は、水道水とファインバブル水の混合した水が供給され、この供給された水に空気のウルトラファインバブルを添加してバブル水タンク２へ戻すように形成されている。
【００６９】
供給管５はバブル水バルブ１３が介設され、このバブル水バルブ１３により、貯水タンク４から分岐管６へ流す飲用水の流量が調節される。また、供給管５は、第２水道水バルブ１２を介して水道に接続されており、この第２水道水バルブ１２により、供給管５へ流れる水道水の流量が調節される。
【００７０】
給水器７はニップル給水器であり、飲用水の吐出管と、この吐出管に連結された開閉弁を有し、上記吐出管に採卵用鶏９の嘴が接触すると開閉弁が開いて吐出管から飲用水が流出するように形成されている。なお、採卵用鶏９に飲用水を供給するものであれば、他の給水器を用いてもよい。
【００７１】
バブル水製造装置３は、図２に示すように、バブル水タンク２から原料水としての水道水、ファインバブル水、又は、水道水とファインバブル水の混合した水を吸引する第１ポンプとしての水中ポンプ２１を備える。水中ポンプ２１の流量が調整されることにより、このバブル水製造装置３によるウルトラファインバブル水の製造量が調整される。この水中ポンプ２１の下流側には、水中ポンプ２１から吐出される原料水に、矢印Ａで示すように空気を吸引して混合して水と空気の混合流体を形成する混合器としてのエジェクタ２２が設けられている。エジェクタ２２には、空気を取り入れる吸気管に、混合流体に混合する空気の量を調整するための流量調整弁で形成された混合エア量調整弁２９が連結されている。エジェクタ２２の下流側には、混合流体を吸引する第２ポンプとしてのカスケードポンプ２３が設けられている。カスケードポンプ２３の下流側は、分岐部で戻し経路２４と排出経路２５に分岐されている。戻し経路２４は、混合流体の空気を微細化してウルトラファインバブルを形成する第１ウルトラファインバブル製造器２６Ａと、この戻し経路２４を流れる混合流体の流量を調節する流量調整弁２７が設けられている。この流量調整弁２７で混合流体の流量が調節されるに伴い、戻し経路２４の下流側の圧力も調節されるようになっている。この戻し経路２４は、下流側が、エジェクタ２２とカスケードポンプ２３の間に接続されている。排出経路２５には、混合流体の空気を微細化してウルトラファインバブルを形成する第２ウルトラファインバブル製造器２６Ｂが設けられている。排出経路２５は、下流側がバブル水タンク２に連なっている。ここで、バブル水製造装置３の第１ポンプとしては、水中ポンプ以外に、陸上ポンプ等の容積ポンプを用いてもよい。また、第２ポンプとしては、カスケードポンプ以外のポンプを用いてもよいが、遠心ポンプを用いるのが好ましい。
【００７２】
図３は、バブル水製造装置３に内蔵された養鶏用ウルトラファインバブル製造器としてのウルトラファインバブル製造器２６を示す模式縦断面図である。図４は、図３の矢視Ｂにおける断面図であり、図５は、図３の矢視Ｃにおける断面図である。このウルトラファインバブル製造器２６は、供給管４１で供給される水と空気の混合流体を微細化し、空気のウルトラファインバブルを含有するウルトラファインバブル水を形成して、このウルトラファインバブル水を排出管４２から排出するものである。
【００７３】
ウルトラファインバブル製造器２６は、概ね円筒形状のケーシング４０と、このケーシング４０の一端に接続されてケーシング４０の内部に連通する供給管４１と、上記ケーシング４０の他端に接続された排出管４２と、上記ケーシング４０内に収容されて排出管４２の端部に連結された微細化ブロック２８を有する。上記排出管４２は、上記ケーシング４０の他端部を貫通して端部が内部に挿入されており、この排出管４２の先端に連結された微細化ブロック２８をケーシング４０内に支持している。
【００７４】
微細化ブロック２８は円筒形状を有し、内部に、水と空気の混合流体が導かれる旋回流形成部としての第１旋回室３１と第２旋回室３３が形成されている。第１旋回室３１と第２旋回室３３は、扁平の円筒と半回転楕円を組み合わせた形状を有し、半回転楕円部分の頂点を対向させて、互いに同軸かつ対称に形成されている。微細化ブロック２８と、この微細化ブロック２８内の第１旋回室３１と第２旋回室３３は、ケーシング４０と同軸に配置される。微細化ブロック２８は、第１旋回室３１が内部に形成された第１ブロック部品２８１と、第２旋回室３３が内部に形成された第２ブロック部品２８２とで構成されている。
【００７５】
図６は、第１ブロック部品２８１を示す断面図である。第１ブロック部品２８１は、微細化ブロック２８の一端面を構成する円盤部分２８１ａと、この円盤部分２８１ａの中央部から微細化ブロック２８の内側に向かって突出した突出部分２８１ｂとを有する。突出部分２８１ｂは、円盤部分２８１ａに近い部分が円筒形状に形成されている一方、円盤部分から遠い先端部分は円錐台形状に形成されている。この第１ブロック部品２８１の内側に、第１旋回室３１が形成されている。
【００７６】
第１旋回室３１は、一端側部分の壁面３１ａが円筒形状を有する一方、他端側部分の壁面３１ｂが半回転楕円形状を有する。第１旋回室３１の一端側部分の壁面３１ａが第１ブロック部品２８１の円盤部分の内側に概ね形成され、半回転楕円形状の他端側部分の壁面３１ｂが第１ブロック部品２８１の突出部分の内側に概ね形成されている。第１ブロック部品２８１には、ケーシング４０と微細化ブロック２８との間の混合流体を第１旋回室３１に導入する第１導入路３５が形成されている。第１導入路３５は、図４に示すように、第１旋回室３１の接線方向に形成されている。第１導入路３５で導かれた混合流体を吐出する吐出開口３５ａが第１旋回室３１の壁面に形成されている。また、ケーシング４０と微細化ブロック２８との間の混合流体を第１導入路３５へ流入させる流入開口３５ｂが、第１ブロック部品２８１の円盤部分２８１ａの側面に形成されている。第１導入路３５は、図６に示すように、第１旋回室３１の一端から他端に向けて、第１旋回室３１の中心軸の直角面に対して角度θを成すように形成されている。第１導入路３５の第１旋回室３１の中心軸直角面に対する角度θは、１°以上２０°以下に形成することができる。この角度θは、好ましくは５°以上１５°以下であり、更に好ましくは８°以上１２°である。第１ブロック部品２８１の突出部分２８１ｂの先端部には第１吐出孔３２が形成されており、この第１吐出孔３２から、第１旋回室３１で形成された混合流体の旋回流が吐出されるように形成されている。
【００７７】
図７は、第２ブロック部品２８２を示す断面図である。第２ブロック部品２８２は、一端側に厚い底が形成されて他端が開口した有底の円筒形状を有する。この第２ブロック部品２８２の開口から上記第１ブロック部品２８１の突出部分２８１ｂが挿入されて、他端面２８２ａに第１ブロック部品２８１の円盤部分２８１ａが連結されるようになっている。この第２ブロック部品２８２の内側面と、第１ブロック部品２８１の突出部分２８１ｂの外側面との間に、第１旋回室３１からの旋回流と第２旋回室３３からの旋回流が衝突する衝突室３８が形成されている。第２ブロック部品２８２の内部には、第２旋回室３３が形成されている。
【００７８】
第２旋回室３３は、一端側部分の壁面３３ａが円筒形状を有する一方、他端側部分の壁面３３ｂが半回転楕円形状を有する。第２ブロック部品２８２には、ケーシング４０と微細化ブロック２８との間の混合流体を第２旋回室３３に導入する第２導入路３６が形成されている。第２導入路３６は、図５に示すように、第２旋回室３３の接線方向に形成されている。第２導入路３６で導かれた混合流体を吐出する吐出開口３６ａが第２旋回室３３の壁面に形成されている。また、ケーシング４０と微細化ブロック２８との間の混合流体を第２導入路３６へ流入させる流入開口３６ｂが、第２ブロック部品２８２の一端側の側面に形成されている。第２導入路３６は、図７に示すように、第２旋回室３３の一端から他端に向けて、第２旋回室３３の中心軸の直角面に対して角度θを成すように形成されている。第２導入路３６の第２旋回室３３の中心軸直角面に対する角度θは、１°以上２０°以下に形成することができる。この角度θは、好ましくは５°以上１５°以下であり、更に好ましくは８°以上１２°である。第２ブロック部品２８２の他端には第２吐出孔３４が形成されており、この第２吐出孔３４から、第２旋回室３３で形成された混合流体の旋回流が吐出されるように形成されている。第２旋回室３３で形成される旋回流は、第１旋回室３１で形成される旋回流と、反対回りに旋回するように形成されている。このように、第１旋回室３１と第２旋回室３３は、中心軸の直角面に関して対称に形成され、第１吐出孔３２と第２吐出孔３４を対向して配置され、互いに反対回りに旋回する旋回流を生成するように形成されている。
【００７９】
第２ブロック部品２８２の底部の外径側部分には、第２ブロック部品２８２の中心軸と平行に延在する複数の排出通路３９，３９，・・・が形成されている。これらの排出通路３９，３９，・・・は、第２旋回室３３の外径側に、この第２旋回室３３を取り囲むように配置されている。第２ブロック部品２８２の底面２８２ｂには、外径側部分に、衝突室３８の流体を排出通路３９，３９，・・・に流入させる複数の流入口としての流入開口３９ａ，３９ａ，・・・が形成されている。この流入開口３９ａが形成された底面２８２ｂは、衝突室３８に面する衝突室表面に該当する。第２ブロック部品２８２の一端面には、排出通路３９，３９，・・・で導かれた流体を吐出する複数の排出口としての吐出開口３９ｂ，３９ｂ，・・・が形成されている。第２ブロック部品２８２の一端は、排出管４２に連結されており、上記排出通路３９，３９，・・・の吐出開口３９ｂ，３９ｂ，・・・から吐出された流体が、排出管４２に流れるようになっている。
【００８０】
上記ウルトラファインバブル製造器２６は、カスケードポンプ２３により水と空気の混合流体が圧送され、戻し経路２４や排出経路２５のウルトラファインバブル製造器２６の上流側の部分である供給管４１から、ケーシング４０内に混合流体が流入する。ケーシング４０内に流入した混合流体は、微細化ブロック２８の外側面の流入開口３５ｂ，３６ｂから第１及び第２導入路３５，３６に導かれる。第１導入路３５に導かれた混合流体は、吐出開口３５ａから第１旋回室３１内に吐出され、第１旋回室３１内に旋回流を形成する。第１導入路３５が第１旋回室３１の接線方向に延在すると共に他端に向けて傾斜角度θを成すことにより、第１旋回室３１内に、安定した旋回流が形成される。また、第２導入路３６に導かれた混合流体は、吐出開口３６ａから第２旋回室３３内に吐出され、第２旋回室３３内に旋回流を形成する。第２導入路３６が第２旋回室３３の接線方向に延在すると共に他端に向けて傾斜角度θを成すことにより、第２旋回室３３内に、安定した旋回流が形成される。上記第１旋回室３１内の混合流体の旋回流は、第１吐出孔３２から衝突室３８へ吐出され、上記第２旋回室３３内の旋回流は、第２吐出孔３４から衝突室３８へ吐出される。これらの第１吐出孔３２と第２吐出孔３４から吐出された旋回流は、互いに反対方向に旋回しており、これにより大きな衝撃力を伴って衝突室３８内で衝突する。その結果、互いの混合流体の気体が効果的に微細化され、ウルトラナノバブルが生成される。こうして生成された空気のウルトラナノバブルを含有する水は、衝突室３８から流入開口３９ａ，３９ａ，・・・を経て排出通路３９，３９，・・・に導かれ、吐出開口３９ｂ，３９ｂ，・・・から排出管４２に排出される。この排出管４２は、戻し経路２４や排出経路２５のウルトラファインバブル製造器２６の下流側である。こうしてウルトラファインバブル製造器２６で生成された空気のウルトラファインバブルを含有する水は、戻し経路２４や排出経路２５の下流側に導かれる。すなわち、第１ウルトラファインバブル製造器２６Ａから戻し経路２４の下流側に空気のウルトラファインバブルを含有する水が流れ、第２ウルトラファインバブル製造器２６Ｂから排出経路２５の下流側に空気のウルトラファインバブルを含有する水が流れる。なお、ウルトラファインバブル製造器２６で製造されるバブルは、ウルトラファインバブルのみに限られず、運転条件に応じてマイクロバブルも含まれ、また、マイクロバブルのみが製造される場合もある。
【００８１】
このバブル水製造装置３は、混合エア量調整弁２９の開度と、水中ポンプ２１及びカスケードポンプ２３による混合水の吐出流量又は吐出圧力と、流量調整弁２７の開度を調節することにより、排出経路２５からのウルトラファインバブル及びマイクロバブルの粒径と濃度を調節することができる。
【００８２】
例えば、流量調整弁２７の開度が増大すれば、ウルトラファインバブル及び／又はマイクロバブルのバブルの濃度が増大すると共に、バブルの径が縮小し、また、排出経路２５からの排出量が減少する。これと共に、生成されるバブルの径の標準偏差が縮小して分布の幅が縮小し、バブルの径が比較的小さい値の狭い範囲に集中する。一方、流量調整弁２７の開度が減少すれば、ウルトラファインバブル及び／又はマイクロバブルのバブルの濃度が減少すると共に、バブルの径が拡大し、また、排出経路２５からの排出量が増大する。これと共に、生成されるバブルの径の標準偏差が拡大して分布の幅が拡大し、バブルの径が比較的小さい値から大きい値にわたって広い範囲に拡散するようになる。
【００８３】
また、カスケードポンプ２３の吐出圧力が増大すると、この吐出圧力が１ＭＰａよりも低い領域では、ウルトラファインバブル及び／又はマイクロバブルのバブルの濃度が増大すると共に、バブルの径が縮小し、また、排出経路２５からの排出量が増大する。吐出圧力が１ＭＰａよりも高い領域では、ウルトラファインバブル及び／又はマイクロバブルのバブルの濃度が低下すると共に、バブルの径が拡大する。一方、カスケードポンプ２３の吐出圧力が減少すると、この吐出圧力が１ＭＰａよりも低い領域では、ウルトラファインバブル及び／又はマイクロバブルのバブルの濃度が減少すると共に、バブルの径が拡大し、また、排出経路２５からの排出量が減少する。吐出圧力が１ＭＰａよりも高い領域では、ウルトラファインバブル及び／又はマイクロバブルのバブルの濃度が増大すると共に、バブルの径が縮小する。
【００８４】
また、エジェクタ２２の混合エア量調整弁２９の開度を増大することにより、排出経路２５から排出されるバブルのうち、１μｍ以上のバブルの割合が増加する一方、混合エア量調整弁２９の開度を減少することにより、排出経路２５から排出されるバブルの粒径のうち、１μｍ以上のバブルの割合が減少する。例えば、混合エア量調整弁２９により、エジェクタ２２の空気混合量を０．４Ｌ／ｍｉｎとすると、排出経路２５から排出されるバブルの直径は、１μｍを超えるものの割合が増大し、ウルトラファインバブルとマイクロバブルが生成される。一方、混合エア量調整弁２９により、エジェクタ２２の空気混合量を０．１Ｌ／ｍｉｎとすると、排出経路２５から排出されるバブルの直径は１μｍを下回るものが大半となり、実質的にウルトラファインバブルのみが生成される。
【００８５】
また、このバブル水製造装置３は、排出経路２５から排出される水のウルトラファインバブルの濃度を測定し、この測定値に基づいて、水中ポンプ２１及びカスケードポンプ２３の吐出圧力と、戻し経路２４の流量を調節して、排出経路２５のウルトラファインバブルの濃度を調節することができる。例えば、排出経路２５のウルトラファインバブルの濃度が目標値よりも低い場合、流量調整弁２７の開度を上げて戻し経路２４の流量を増大させることにより、排出経路２５から排出されるウルトラファインバブルの濃度が増大する。
【００８６】
また、このバブル水製造装置３は、排出経路２５の第２ウルトラファインバブル製造器２６Ｂの上流側に第２流量調整弁を設け、この第２流量調整弁の開度と、混合エア量調整弁２９の開度と、戻し経路２４の流量調整弁２７の開度と、水中ポンプ２１及びカスケードポンプ２３の吐出圧力を調節することにより、排出経路２５から排出されるウルトラファインバブルの粒径と濃度を調節してもよい。
【００８７】
上記バブル水製造装置３は、図示しない制御装置を設け、この制御装置により、上記混合エア量調整弁２９の開度と、上記流量調整弁２７の開度と、上記第２流量調整弁の開度と、上記水中ポンプ２１及びカスケードポンプ２３の吐出圧力を制御して、排出経路２５からのウルトラファインバブルの粒径と濃度を調節してもよい。
【００８８】
このようにして、上記バブル水製造装置３により、安定して５０〜７０ｎｍのウルトラファインバブルを形成することができる。なお、戻し経路２４と流量調整弁２７と第１ウルトラファインバブル製造器２６Ａは、設けなくてもよい。すなわち、カスケードポンプ２３の下流側に、排出経路２５を第２ウルトラファインバブル製造器２６Ｂのみを設け、第２ウルトラファインバブル製造器２６Ｂのみによりウルトラファインバブルを生成してもよい。
【００８９】
上記実施形態において、ウルトラファインバブル製造器２６は、同軸上に中心軸の直角面に対して対称に形成された第１旋回室３１と第２旋回室３３を含む微細化ブロック２８を含んでいたが、他の養鶏用ウルトラファインバブル製造器を用いてもよい。図８は、変形例の養鶏用ウルトラファインバブル製造器を示す縦断面図である。図９は、図８の矢視Ｄにおける断面図であり、図１０は、図８の矢視Ｅにおける断面図である。このウルトラファインバブル製造器１２６は、供給管４１で供給される水と空気の混合流体を、微細化ブロック１２８で微細化し、空気のウルトラファインバブルを含有するウルトラファインバブル水を形成して、このウルトラファインバブル水を排出管４２から排出するものである。
【００９０】
このウルトラファインバブル製造器１２６は、一端が供給管４１に連結され、他端が微細化ブロック１２８に連結された概ね円筒形状のケーシング１４０を有する。微細化ブロック１２８は、ケーシング１４０よりも小径の概ね円筒形状を有し、他端部分が他の部分よりも大きい径に形成されてケーシング１４０の他端部の内側面に嵌合している。この微細化ブロック１２８は、水と気体の混合流体が導かれる処理流路１３０と、この処理流路１３０の上流端に連通する旋回流形成部としての第１偏心供給路１３１と、上記処理流路１３０の長さ方向の略中央に連通する旋回流形成部としての第２偏心供給路１３２が内部に形成されている。処理流路１３０の中心軸を通る断面において、第１偏心供給路１３１の中心軸と、第２偏心供給路１３２の中心軸は、処理流路１３０の中心軸に対して直角に延在している。
【００９１】
微細化ブロック１２８の処理流路１３０は、微細化ブロック１２８の中心軸に沿って、微細化ブロック１２８の一端面の近傍から、微細化ブロック１２８の他端面に至るまで形成されている。処理流路１３０の一端は、微細化ブロック１２８の一端面に貫通することなく微細化ブロック１２８内に留まっている一方、処理流路１３０の他端は、微細化ブロック１２８の他端面に開口を形成している。この処理流路１３０は、円形断面を有し、一端から他端に向かうにつれて径が増大するように形成されている。処理流路１３０の他端の開口には、排出管４２が挿入されて、処理流路１３０が排出管４２に連通している。
【００９２】
微細化ブロック１２８の第１偏心供給路１３１は、微細化ブロック１２８の中心軸と直角の断面図である図９に示すように、処理流路１３０の一端に連通するように２本形成されている。これらの２つの第１偏心供給路１３１は、処理流路１３０の中心に関して点対称に配置されている。これらの第１偏心供給路１３１は、微細化ブロック１２８の概ね径方向に延在し、微細化ブロック１２８の外周面に流入開口１３１ａを形成し、処理流路１３０の内周面に吐出開口１３１ｂを形成している。これらの第１偏心供給路１３１は、円形断面を有し、流入開口１３１ａから吐出開口１３１ｂに向かうにつれて径が小さくなるように形成されている。第１偏心供給路１３１の吐出開口１３１ｂは、処理流路１３０の軸方向視において、処理流路１３０の中心に対して偏芯した位置に配置されている。ここで、図８において、第２偏心供給路１３２は、この第２偏心供給路１３２の中心軸に沿った縦断面の形状を示しており、微細化ブロック１２８の中心軸を通る面で第２偏心供給路１３２を切断した様子を示していない。
【００９３】
微細化ブロック１２８の第２偏心供給路１３２は、微細化ブロック１２８の中心軸と直角の断面図である図１０に示すように、処理流路１３０の長さ方向の略中央に連通するように２本形成されている。これらの２つの第２偏心供給路１３２は、処理流路１３０の中心に関して点対称に配置されている。これらの第２偏心供給路１３２は、微細化ブロック１２８の概ね径方向に延在し、微細化ブロック１２８の外周面に流入開口１３２ａを形成し、処理流路１３０の内周面に吐出開口１３２ｂを形成している。これらの第２偏心供給路１３２は、円形断面を有し、流入開口１３２ａから吐出開口１３２ｂに向かうにつれて径が小さくなるように形成されている。第２偏心供給路１３２の吐出開口１３２ｂは、処理流路１３０の軸方向視において、処理流路１３０の中心に対して偏芯した位置に配置されている。この第２偏心供給路１３２の吐出開口１３２ｂは、第１偏心供給路１３１の吐出開口１３１ｂと、処理流路１３０の中心軸に関して反対側に偏心している。上記微細化ブロック１２８の第１偏心供給路１３１と第２偏心供給路１３２は、微細化ブロック１２８の軸方向視において、互いに９０°の角度を成すように配置されている。
【００９４】
上記構成のウルトラファインバブル製造器１２６は、次のように動作する。まず、水と空気の混合流体が供給管４１を通してケーシング１４０内に導かれる。ケーシング１４０内に流入した混合流体は、微細化ブロック１２８の外側面の流入開口１３１ａ，１３２ａから第１及び第２偏心供給路１３１，１３２に導かれる。第１偏心供給路１３１に導かれた混合流体は、吐出開口１３１ｂから処理流路１３０内に吐出され、この処理流路１３０内に旋回流を形成する。第１偏心供給路１３１の吐出開口１３１ｂが処理流路１３０の中心に対して偏芯した位置に配置されていることにより、処理流路１３０内に、安定した旋回流が形成される。こうして第１偏心供給路１３１から処理流路１３０内に導かれた混合流体は、旋回流となって処理流路１３０の一端から他端に向かって流れる。また、第２偏心供給路１３２に導かれた混合流体は、吐出開口１３２ｂから処理流路１３０内に吐出される。上記第２偏心供給路１３２の吐出開口１３２ｂは、処理流路１３０の中心軸に関して偏芯した位置に配置されていると共に、第１偏心供給路１３１の吐出開口１３１ｂと反対側に偏心していることにより、処理流路１３０を流れた旋回流に対して反対向きの旋回流を形成する。この第２偏心供給路１３２の吐出開口１３２ｂから吐出された混合流体の旋回流が、第１偏心供給路１３１から流れて来た旋回流と衝突する。その結果、互いの混合流体の気体が効果的に微細化され、ウルトラナノバブルが生成される。こうして生成された空気のウルトラナノバブルを含有する水は、処理流路１３０の他端に向かって流れ、排出管４２を通ってウルトラファインバブル製造器１２６から排出される。
【００９５】
上記変形例のウルトラファインバブル製造器１２６は、微細化ブロック１２８を製造する際、単一の金属材料に対する切削加工により、処理流路１３０、第１偏心供給路１３１及び第２偏心供給路１３２を形成できる。したがって、少ない工数により容易に微細化ブロック１２８を製造できる。
【００９６】
上記変形例のウルトラファインバブル製造器１２６において、微細化ブロック１２８の第１偏心供給路１３１及び第２偏心供給路１３２は、処理流路１３０の軸方向視において互いに９０°の角度を成すように配置されたが、互いに０度の角度を成すように配置されてもよい。また、微細化ブロック１２８の第１偏心供給路１３１及び第２偏心供給路１３２は、いずれも２個ずつ設けたが、いずれか一方又は両方を１個ずつ設けてもよい。
【００９７】
また、上記実施形態において、バブル水製造装置３は、他の構成のバブル水製造装置を採用してもよい。図１１は、変形例のバブル水製造装置１０３を示す模式図である。このバブル水製造装置１０３は、バブル水タンク２から原料水としての水道水、ファインバブル水、又は、水道水とファインバブル水の混合した水を吸引する第１ポンプとしての吸引ポンプ１２１を備える。
【００９８】
上記吸引ポンプ１２１と並列に、吸引ポンプ１２１から吐出される原料水に、空気を混合して水と空気の混合流体を形成する混合器としてのエジェクタ１２２が設けられている。すなわち、吸引ポンプ１２１の吸入側と吐出側の間に、エジェクタ１２２が介設されている。エジェクタ１２２には、空気を取り入れる吸気管に、混合流体に混合する空気の量を調整するための流量調整弁で形成された混合エア量調整弁１２７が連結されている。混合エア量調整弁１２７の上流側には、空気を貯留する気体タンク１２４が接続されている。この気体タンク１２４は、大気から吸入した空気を浄化する清浄装置を設けるのが好ましい。
【００９９】
上記吸引ポンプ１２１の下流側には、混合流体の空気を微細化してウルトラファインバブルを形成する上記ウルトラファインバブル製造器２６が接続されている。ウルトラファインバブル製造器２６に替えて、変形例のウルトラファインバブル製造器１２６を接続してもよい。上記吸引ポンプ１２１とウルトラファインバブル製造器２６との間には、ウルトラファインバブル製造器２６に導かれる流体のうちの液体の圧力を測定する第１液圧センサ１４１が設けられている。ウルトラファインバブル製造器２６の下流側には、流体を吸引する第２ポンプとしてのカスケードポンプ１２３が設けられている。ウルトラファインバブル製造器２６とカスケードポンプ１２３との間には、ウルトラファインバブル製造器２６から吐出される流体のうちの液体の圧力を測定する第２液圧センサ１４２が設けられている。この第２液圧センサ１４２の測定値に基づいて、制御装置１４３によりカスケードポンプ１２３の動作を制御するように構成されている。
【０１００】
カスケードポンプ１２３の下流側には、ウルトラファインバブルを含有する水から、水に添加されずに残留した余剰の空気を分離する気液分離器１２５が接続されている。気液分離器１２５で分離された空気は、気体タンク１２４に戻される一方、ウルトラファインバブルを含有する水は、水タンク２に戻されるようになっている。ここで、バブル水製造装置１０３の第１ポンプとしては、水中ポンプ以外に、陸上ポンプ等の容積ポンプを用いてもよい。また、第２ポンプとしては、カスケードポンプ以外のポンプを用いてもよいが、遠心ポンプを用いるのが好ましい。
【０１０１】
この変形例のバブル水製造装置１０３は、混合エア量調整弁１２７の開度と、吸引ポンプ１２１及びカスケードポンプ１２３の流体の吐出流量又は吐出圧力を調節することにより、バブル水タンク２へ導かれるウルトラファインバブルの粒径と濃度を調節することができる。
【０１０２】
また、このバブル水製造装置１０３は、バブル水タンク２の水のウルトラファインバブルの濃度を測定し、この測定値に基づいて、吸引ポンプ１２１及びカスケードポンプ１２３の吐出量と、混合エア量調整弁１２７の開度を調節して、バブル水タンク２のウルトラファインバブルの濃度を調節することができる。
【０１０３】
上記バブル水製造装置１０３は、第２の制御装置を設け、この第２の制御装置により、上記混合エア量調整弁１２７の開度と、吸引ポンプ１２１及びカスケードポンプ１２３による流体の吐出流量又は吐出圧力を制御して、バブル水タンク２のウルトラファインバブルの粒径と濃度を調節してもよい。
【０１０４】
例えば、バブル水タンク２の流体に含まれる気泡の径を小さくするためには、混合エア量調整弁１２７の開度を下げてエジェクタ１２２への空気の供給量を低減し、吸引ポンプ１２１及びカスケードポンプ１２３の運転を継続する。バブル水タンク２の流体が、吸引ポンプ１２１で吸引されてウルトラファインバブル製造器２６に導かれ、含有する気泡が微細化されてカスケードポンプ１２３に吸引され、バブル水タンク２に戻される。バブル水タンク２の流体を、吸引ポンプ１２１、ウルトラファインバブル製造器２６及びカスケードポンプ１２３に循環させることにより、この流体に含まれる気泡の径を効果的に小さくすることができる。
【０１０５】
また、例えば、バブル水タンク２の流体に含まれる気泡の濃度を増加させるためには、混合エア量調整弁１２７の開度を上げてエジェクタ１２２への空気の供給量を増やし、吸引ポンプ１２１及びカスケードポンプ１２３の運転を継続する。バブル水タンク２の流体が、吸引ポンプ１２１で吸引されて一部がエジェクタ１２２に導かれて空気が添加される。また、他の部分は吸引ポンプ１２１からウルトラファインバブル製造器２６に導かれる。流体の気泡がウルトラファインバブル製造器２６で微細化され、カスケードポンプ１２３に吸引されて、バブル水タンク２に戻される。バブル水タンク２の流体を、吸引ポンプ１２１、エジェクタ１２２、ウルトラファインバブル製造器２６及びカスケードポンプ１２３に循環させることにより、この流体に含まれる気泡の濃度を効果的に増大させることができる。
【０１０６】
上記バブル水製造装置１０３のウルトラファインバブル製造器２６には、上流側と下流側の間、すなわち、供給管４１の流体の圧力と排出管４２の流体の圧力との間に、４ＭＰａ以上６ＭＰａ以下の圧力差が生じるように、吸引ポンプ１２１の吐出量とカスケードポンプ１２３の吸入量を調節するのが好ましい。この場合、供給管４１における流体の圧力を、排出管４２における流体の圧力よりも高く調節する。このように、ウルトラファインバブル製造器２６の上流側と下流側の間に、４ＭＰａ以上６ＭＰａ以下の圧力差を生じさせることにより、ウルトラファインバブル製造器２６により安定してウルトラファインバブルを含有する水を製造することができる。
【０１０７】
このようにして、変形例のバブル水製造装置１０３により、安定して５０〜７０ｎｍのウルトラファインバブルを形成することができる。また、このバブル水製造装置１０３は、空気以外に、酸素や水素のウルトラファインバブルを含有する水を製造してもよい。酸素や水素のウルトラファインバブルを含有する水を製造する場合、水に添加されなかった余剰の酸素や水素を、気液分離器１２５で分離して、気体タンク１２４に戻すことにより、酸素や水素がバブル水製造装置１０３の外部に漏洩する不都合を防止できる。したがって、酸素や水素のウルトラファインバブルを含有する水を製造する場合に、酸素や水素の漏洩に起因する火災などの不都合を効果的に防止できる。
【０１０８】
上記実施形態において、ウルトラファインバブル製造器２６の微細化ブロック２８は、旋回流形成部としての第１旋回室３１と第２旋回室３３を有したが、２個に限られず、３個以上の旋回流形成部を有してもよい。また、ウルトラファインバブル製造器１２６の微細化ブロック１２８は、旋回流形成部としての第１偏心供給路１３１と第２偏心供給路１３２を有したが、２個に限られず、３個以上の旋回流形成部を有してもよい。
【０１０９】
また、上記実施形態において、採卵用鶏に、空気のウルトラファインバブルを含有する水を給与したが、空気以外に、水素や酸素等の他の気体のウルトラファインバブルを含有する水を給与してもよい。また、水以外に、微酸性電解水や、その他の各種の成分を含有する水にウルトラファインバブルを含有させた飲用水を給与してもよい。水素のウルトラファインバブルを含有する水を用いた場合と、酸素のウルトラファインバブルを含有する水を用いた場合においても、鶏の産卵の開始時期を早める効果や、鶏卵の生産性を向上できる効果が確認された。また、微酸性電解水を用いた場合においても、鶏の産卵の開始時期を早める効果や、鶏卵の生産性を向上できる効果が確認された。
【実施例】
【０１１０】
本発明の実施例では、採卵用鶏の飲用水として、上述のバブル水製造装置３により、次のような空気のウルトラファインバブルを含有する水を作成した。
算術個数平均径：８９．８ｎｍ
最大頻出径：６０．３ｎｍ
標準偏差：４４．２ｎｍ
１０％径：５４．５ｎｍ
５０％径：７４．５ｎｍ
９０％径：１４０．７ｎｍ
個数濃度：１．７５×１０８個／ｍＬ
これらの値の測定は、日本カンタム・デザイン社製の名の粒子解析装置ＮＡＮＯＳＩＧＨＴ  ＮＳ５００にて行った。【０１１１】
（試験１）
試験１では、採卵個数と産卵開始日について試験を行った。試験対象として、１２０日齢のボリスブラウン種の採卵鶏４０羽を、１０羽ずつ４群に分け、次の飲用水を給与して平飼により養育した。
試験群（１）：地下水
試験群（２）：空気のウルトラファインバブル水
試験群（３）：植物抽出物混合発酵液の希釈水
試験群（４）：試験群（２）と植物抽出物混合発酵液の混合水
上記試験群（３）及び（４）の植物抽出物混合発酵液として、株式会社Ｔ．Ｓエコファーム社製のＴ．Ｓミネターゼを用いた。試験群（３）は、ミネターゼの原液を、５００倍の地下水で希釈して作製した。試験群（４）は、ミネターゼの原液を、５００倍の空気のウルトラファインバブル水で希釈して作成した。【０１１２】
図１２は、飲用水の給与を開始した１２０日齢から１４８日齢までの間の産卵個数の累積を示したグラフである。１２０日齢から産卵を開始するまでに要した日数は、慣行区である試験群（１）が２５日であったのに対し、試験群（２）及び（４）では１１日であった。このように、空気のウルトラファインバブル水と、空気のウルトラファインバブル水と植物抽出物混合発酵液との混合水を、飲用水として用いることにより、採卵鶏の産卵の開始が１４日早まることが確認された。飲用水の給与開始から３９日目であって、１５９日齢の時点での鶏卵の総生産量は、試験群（１）と比較して、試験群（２）は１．６３倍であり、試験群（３）は０．９７倍であり、試験群（４）は１．６８倍であった。このように、空気のウルトラファインバブル水と、空気のウルトラファインバブル水と植物抽出物混合発酵液との混合水を、飲用水として用いることにより、産卵の時期を早めることができ、その結果、採卵期間の全体における採卵量を増加させることができるといえる。【０１１３】
（試験２）
試験２では、空気のウルトラファインバブル水を給与したときの飼料による産卵量と卵の大きさの影響について試験を行った。試験対象として、１２０日齢から６００日齢までの間のボリスブラウン種の採卵鶏８０００羽に、上記空気のウルトラファインバブル水を給与すると共に、ＣＰ１６％の飼料を与える期間と、ＣＰ１８％の飼料を与える期間を交互に設定し、産卵個数と卵のサイズの影響を確認した。採卵鶏８０００羽のうち、２０００羽が１２０〜２４０日齢であり、２０００羽が２４０〜３６０日齢であり、２０００羽が３６０〜４８０日齢であり、２０００羽が４８０〜６００日齢である。採卵鶏の飼育は高床鶏舎にて行った。
【表１】
2020138246.tif 000003
【０１１４】
表１は、試験２の結果である。期間の第１期は、試験の開始から第１〜１０日であり、第２期は第１３１〜１３８日であり、第３期は第１３９〜１７９日であり、第４期は第１８０〜２０４日である。表１において、ＭＳは重量が５２ｇ以上５８ｇ未満の鶏卵であり、Ｍは５８ｇ以上６４ｇ未満の鶏卵であり、Ｌは６４ｇ以上７０ｇ未満の鶏卵であり、２Ｌは７０ｇ以上７６ｇ未満の鶏卵であり、大玉は７６ｇ以上の鶏卵である。第１期及び第２期は、１２０日齢の鶏のうち、未産卵の鶏が含まれる割合が多いため、検討の対象から除外する。第３期は、飼料がＣＰ１６％であるにもかかわらず、全ての卵のうち、Ｍサイズ以上の卵が９５．２％であった。したがって、ＣＰ１８％よりも安価なＣＰ１６％の飼料を用いて、流通可能な大きさの卵を高い割合で生産することができるので、飼料費を効果的に削減できる。また、第３期では、他のサイズよりも需要の多いＭサイズとＬサイズの卵を、第４期よりも多く生産できた。したがって、安価なＣＰ１６％の飼料を用いて、需要の多いＭ及びＬサイズの卵を、ＣＰ１８％の飼料を用いるよりも多く生産できるので、卵の生産効率を効果的に高めることができる。【０１１５】
（試験３）
試験３では、飲用水の空気のウルトラファインバブルの有無による卵のサイズの違いについて試験を行った。試験対象として、１５０日齢のボリスブラウン種の採卵鶏に、上記空気のウルトラファインバブルを含有する飲用水を給与した試験群（５）と、空気のウルトラファインバブルを含有しない飲用水を給与した試験群（６）を設定し、同一のＣＰ１８％の飼料を給与した。試験群（５）と試験群（６）のいずれも、採卵鶏を８０００羽ずつ養育した。その結果、試験群（５）については、１日の総産卵量５７００個のうち、大玉が２００個であった。試験群（６）については、１日の総産卵量５０００個のうち、大玉が１００個であった。このように、ウルトラファインバブルを含有する飲用水を給与することにより、大玉の卵を、効果的に生産することができる。【０１１６】
本発明は、以上説明した実施の形態又は実施例に限定されるものではなく、多くの変形が、本発明の技術的思想内で当分野において通常の知識を有する者により可能である。
【符号の説明】
【０１１７】
１  飲用水供給装置
２  バブル水タンク
３，１０３  バブル水製造装置
４  貯水タンク
５  供給管
６  分岐管
７  給水器
８  戻り管
９  採卵用鶏
１１  第１水道水バルブ
１２  第２水道水バルブ
１３  バブル水バルブ
２１  水中ポンプ
２２  エジェクタ
２３  カスケードポンプ
２４  戻し経路
２５  排出経路
２６，１２６  ウルトラファインバブル製造器
２７  流量調整弁
２８  微細化ブロック
２９  混合エア量調整弁
３１  第１旋回室
３３  第２旋回室
３８  衝突室
４０  ケーシング
４１  供給管
４２  排出管
【図１】
2020138246.tif 000004
【図２】
2020138246.tif 000005
【図３】
2020138246.tif 000006
【図４】
2020138246.tif 000007
【図５】
2020138246.tif 000008
【図６】
2020138246.tif 000009
【図７】
2020138246.tif 000010
【図８】
2020138246.tif 000011
【図９】
2020138246.tif 000012
【図１０】
2020138246.tif 000013
【図１１】
2020138246.tif 000014
【図１２】
2020138246.tif 000015
【国際調査報告】
2020138246.tif 000016
2020138246.tif 000017
2020138246.tif 000018
2020138246.tif 000019
2020138246.tif 000020
2020138246.tif 000021